(57)【特許請求の範囲】
【請求項１】
建物の外壁に設けた開口部に開閉自在に設置された開閉部材の屋外側に配置され開口部周辺における人の存在を検知するセンサ部と、前記センサ部が人を検知すると検知信号をワイヤレスで発信する送信部を収納し前記開閉部材の屋内側に配置される警戒装置本体と、中間部が前記開閉部材と前記開口部との隙間に配置され屋外側の一端部に前記センサ部が取り付けられかつ屋内側の一端部に前記警戒装置本体が取り付けられた形でセンサ部および警戒装置本体を開閉部材に取り付ける連結部とを備えた検知送信ユニットと、前記検知送信ユニットからの検知信号を受信すると音を発生する音発生部を備えた報知ユニットとからなることを特徴とする侵入警戒装置。
【請求項２】
前記警戒装置本体は、前記センサ部が人を検知すると、人を威嚇する音を発生する警報発生部を備えたことを特徴とする請求項１記載の侵入警戒装置。
【請求項３】
前記警戒装置本体は、前記警報発生部が音を発生するか否かを切り替える切替手段を有することを特徴とする請求項２記載の侵入警戒装置。
【請求項４】
前記音発生部と前記警報発生部は、異なる音を発生することを特徴とする請求項２又は３記載の侵入警戒装置。
【請求項５】
前記音発生部は、前記センサ部のセンサ出力が発生するタイミング毎に連動して音を発生することを特徴とする請求項１乃至４の何れか記載の侵入警戒装置。
【請求項６】
前記警報発生部は、前記センサ部のセンサ出力が発生するタイミング毎に連動して音を発生することを特徴とする請求項２乃至４の何れか記載の侵入警戒装置。
【請求項７】
前記音は、動物の鳴き声をした威嚇音であることを特徴とする請求項５又は６記載の侵入警戒装置。
【請求項８】
前記動物の鳴き声は、犬の鳴き声であることを特徴とする請求項７記載の侵入警戒装置。
【請求項９】
前記開閉部材は、扉枠内に開閉自在に取り付けられた玄関扉であることを特徴とする請求項１乃至８の何れか記載の侵入警戒装置。
【請求項１０】
前記開閉部材は、窓枠内に開閉自在に取り付けられた窓板であることを特徴とする請求項１乃至８の何れか記載の侵入警戒装置。
【発明の詳細な説明】
【０００１】
【発明の属する技術分野】
本発明は、侵入警戒装置に関するものである。
【０００２】
【従来の技術】
従来この種の侵入警戒装置として、図１１に示すように、人体から放射される熱線を検知することにより人の存否を検知する検知ユニット１と、スピーカＳＰと、警戒状態と非警戒状態とを切り替える切替スイッチＳＷ６と、切替スイッチＳＷ６により警戒状態に設定されている場合に検知ユニット１が検知領域内で人を検知するとスピーカＳＰから警報音を発生させる制御部（図示せず）とを収納した侵入警戒装置本体Ａを、住宅の軒天井部に設置して不審者を検知するものが提供されている。
【０００３】
【発明が解決しようとする課題】
しかしながら、従来の侵入警戒装置では、警報を発するスピーカＳＰが制御部を介して検知ユニット１と有線でつながれているため、該侵入警戒装置が設置された家の中にいる家人が、該侵入警戒装置の警報音によって不審者の存否を確認しようとしても、検知ユニット１から離れた場所では警報音が聞こえず、不審者の存否を確認できないという問題があった。
【０００４】
また、侵入警戒装置本体Ａが住宅の屋外に設置されているため、不審者によって侵入警戒装置本体Ａが破壊される虞があり、侵入警戒装置本体Ａが破壊されると、警報を発することができなくなるという問題もあった。
【０００５】
本発明は上記問題点に鑑みて為されたものであって、その目的とするところは、検知ユニットから離れた場所でも人の存否を確認でき、且つ万が一屋外に設置された部分が破壊されたとしても警報を発することができる侵入警戒装置を提供することにある。
【０００６】
【課題を解決するための手段】
上記目的を達成するために、請求項１の発明は、建物の外壁に設けた開口部に開閉自在に設置された開閉部材の屋外側に配置され開口部周辺における人の存在を検知するセンサ部と、前記センサ部が人を検知すると検知信号をワイヤレスで発信する送信部を収納し前記開閉部材の屋内側に配置される警戒装置本体と、中間部が前記開閉部材と前記開口部との隙間に配置され屋外側の一端部に前記センサ部が取り付けられかつ屋内側の一端部に前記警戒装置本体が取り付けられた形でセンサ部および警戒装置本体を開閉部材に取り付ける連結部とを備えた検知送信ユニットと、前記検知送信ユニットからの検知信号を受信すると音を発生する音発生部を備えた報知ユニットとからなるものとした。
【０００７】
請求項２の発明は、請求項１記載の発明において、前記警戒装置本体は、前記センサ部が人を検知すると、人を威嚇する音を発生する警報発生部を備えたものとした。
【０００８】
請求項３の発明は、請求項２記載の発明において、前記警戒装置本体は、前記警報発生部が音を発生するか否かを切り替える切替手段を有するものとした。
【０００９】
請求項４の発明は、請求項２又は３記載の発明において、前記音発生部と前記警報発生部は、異なる音を発生するものとした。
【００１０】
請求項５の発明は、請求項１乃至４の何れか記載の発明において、前記音発生部は、前記センサ部のセンサ出力が発生するタイミング毎に連動して音を発生するものとした。
【００１１】
請求項６の発明は、請求項２乃至４の何れか記載の発明において、前記警報発生部は、前記センサ部のセンサ出力が発生するタイミング毎に連動して音を発生するものとした。
【００１２】
請求項７の発明は、請求項５又は６記載の発明において前記音は、動物の鳴き声をした威嚇音であるとした。
【００１３】
請求項８の発明は、請求項７記載の発明において、前記動物の鳴き声は、犬の鳴き声とした。
【００１４】
請求項９の発明は、請求項１乃至８の何れか記載の発明において、前記開閉部材は、扉枠内に開閉自在に取り付けられた玄関扉とした。
【００１５】
請求項１０の発明は、請求項１乃至８の何れか記載の発明において、前記開閉部材は、窓枠内に開閉自在に取り付けられた窓板とした。
【００１６】
【発明の実施の形態】
以下、本発明を実施形態１及び２によって説明する。
【００１７】
（実施形態１）
図１及び図２は、本実施形態の侵入警戒装置を玄関扉に取り付けた状態を示す図である。本実施形態の侵入警戒装置は、玄関扉Ｄの屋外側Ｘに取り付けられ、玄関扉Ｄの屋外側Ｘに設けた検知エリア１ａにおける人の存否を検知するセンサ部１ｂを収納した検知ユニット１と、玄関扉Ｄの屋内側Ｙに取り付けられ、検知ユニット１が人を検知すると検知信号Ｗをワイヤレスで発信する送信回路２ｂを備えた警戒装置本体２と、玄関扉Ｄの上端部に載置され検知ユニット１と警戒装置本体２との間を連結する、例えば金属部材等から形成された連結部３とを備えた検知送信ユニットＫと、検知送信ユニットＫからの検知信号Ｗが届く範囲で、玄関扉Ｄから離れた場所に設置され、警戒装置本体２からの検知信号Ｗを受信すると警報音か威嚇音か報知音の何れかの音を発生する音発生部５を備えた報知ユニットＦとからなる。
【００１８】
連結部３は、図３に詳しく示すように、中央片３ａと、中央片３ａから略垂直に折曲した側片３ｃとでＬ字状に形成されており、中央片３ａを玄関扉Ｄの上端部に載置し、側片３ｃを玄関扉Ｄの屋内側Ｙに当接するようにして玄関扉Ｄに取り付けられる。そして中央片３ａの先端部に、長辺方向に並行した長孔３ｄを介して、検知ユニット１をボルト４で取り付け、側片３ｃの先端部には警戒装置本体２を取り付けることで、検知ユニット１を屋外側Ｘに、警戒装置本体２を屋内側Ｙに配している。
【００１９】
図４にこの侵入警戒装置の構成をブロック図で示す。検知ユニット１は、人体から放射される熱線を検知することにより人の存否を検知する、例えば焦電素子からなるセンサ部１ｂを収納している。警戒装置本体２は、前述した送信回路２ｂと、センサ部１ｂからのセンサ出力を受け送信回路２ｂを制御するマイコン２ａとからなる。報知ユニットＦは、発生する音の音量を"切"・"小"・"大"のうち何れかに切り替える音量切替スイッチＳＷ１と、音の音色を、"ピンポン音"の報知音・"犬の鳴き声（ワンワン）"の威嚇音・"アラーム音"の警報音のうち何れかに切り替える音色切替スイッチＳＷ２と、警戒装置本体２からの検知信号を受信すると、前記音色切替スイッチＳＷ２で選択された音を発生する音発生部５とからなり、音発生部５はさらに、送信回路２ｂからの検知信号を受信する受信回路５ａと、音の発生を制御するマイコン５ｂと、音響回路５ｃと、スピーカＳＰとからなる。
【００２０】
次に、図５のフローチャートを用いてこの侵入警戒装置の動作を説明する。人Ｈが外部から玄関扉Ｄに近づいて検知ユニット１内に収納されたセンサ部１ｂの検知エリア１ａ内に入ると（ステップＳ１）、センサ部１ｂが人Ｈを検知してセンサ出力を警戒装置本体２内のマイコン２ａに出力する。それを受けたマイコン２ａは、センサ出力間隔ｔが所定の規定時間以内で続く間は、一つのセンサ検知期間とみなして、センサ検知期間が、例えば５秒以上続けば（ステップＳ２）、明らかに玄関先に人が滞在していると判断して、送信回路２ｂを介して、検知信号Ｗをワイヤレスで報知ユニットＦに送信する（ステップＳ３）。ステップＳ２を設けることで、誤検知を減らし、明らかに玄関先に人がいる場合にのみ警報が発生される。報知ユニットＦは、切替スイッチＳＷ１によりスピーカ音量が"大"又は"小"に切り替えられている警戒状態の時に受信回路５ａが検知信号Ｗを受信すると、マイコン５ｂが、切替スイッチＳＷ２によって選択された音色の音を、音響回路５ｃを介してスピーカＳＰより出力する（ステップＳ４）。センサ検知期間が５秒以上続かない時は、玄関先に人がいるかどうか不確かなので、何もしない（ステップＳ５）。
【００２１】
よって、家人が家の中にいる時は、部屋の中に報知ユニットＦを置いて、切替スイッチＳＷ２で、例えば"ピンポン音"の報知音を選択しておけば、玄関先に人が来れば、部屋の中の報知ユニットＦからピンポン音が発生され、来客報知器として用いることができる。
【００２２】
また、家人が外出する時は、報知ユニットＦを玄関近くに置いて、音色切替スイッチＳＷ２で、例えば"犬の鳴き声"の威嚇音を選択しておけば、不審者が玄関先に来れば、報知ユニットＦから犬の鳴き声が発生され不審者を威嚇し、又不審者に番犬がいると錯覚させ、空き巣などを未然に防止することができる。
【００２３】
また、万が一屋外に設置された検知ユニット１が壊されたとしても、屋内に設置された警戒装置本体２は無事なので、警戒装置本体２より警報を発生することができる。
【００２４】
ここで、"犬の鳴き声"の威嚇音が発生するタイミングについて、図６を用いて説明する。検知ユニット１内のセンサ部１ｂのセンサ出力１００は、検知した人体の周囲との温度差や通過速度などの条件でランダムな間隔で出力される。センサ出力１００を受けた警戒装置本体２内のマイコン２ａは、センサ出力１００に同期した検知信号Ｗを報知ユニットＦへ発信し、受信回路５ａ、マイコン５ｂ、音響回路５ｃを介して、スピーカＳＰから、センサ出力１００に同期したタイミング毎に"犬の鳴き声"の威嚇音２００が出力される。その結果、"犬の鳴き声"の威嚇音２００も、ランダムな間隔で出力されることとなり、実際の犬の鳴き声に近くなり、不審者Ｈに見破られにくくなる。
【００２５】
音色切替スイッチＳＷ２が、"ピンポン音"又は"アラーム音"を選択している時は、"犬の鳴き声"の時と異なり、ランダムな間隔で出力する必要がないので、検知信号Ｗをトリガとして、一定期間固定フレーズの音を出力すれば良い。
【００２６】
尚、本実施形態では、検知送信ユニットＫを玄関扉Ｄに取り付けた場合を例にして説明を行ったが、検知送信ユニットＫの設置部位を玄関扉Ｄに限定する趣旨のものではなく、建物の外壁に設けた開口部に開閉自在に設置された開閉部材であれば玄関扉Ｄ以外の部材でも良く、例えば図７（ａ），（ｂ）に示したように、開口部としての窓板Ｇに検知送信ユニットＫを取り付けて、窓からの不審者を警戒するようにしても良い。則ち、検知送信ユニットＫは、検知ユニット１を屋外側、警戒装置本体２を屋内側とし、検知ユニット１と警戒装置本体２の間に窓板Ｇを挟むと共に、窓板Ｇのスライド方向の端部と窓枠Ｍとの間の隙間に連結部３の中央片３ａを挟んだ状態で窓板Ｇに取り付けられる。
【００２７】
本実施形態の検知送信ユニットＫは、検知ユニット１と警戒装置本体２とが連結部３とで連結された構成となっているため、玄関扉Ｄや窓板Ｇ等の開閉部材への取り付けが、容易となっている。
【００２８】
また、音発生部５が発生する音の音量は、３段階に限定されるものではなく、例えば"切"・"入"の２段階でもよい。
【００２９】
また、音発生部５が発生する音の音色は、３種類に限定されるものではなく、例えば"ピンポン音"のような報知音と、"犬の鳴き声"の威嚇音だけでもよい。
【００３０】
また、ワイヤレスで送受信をおこなう送信回路２ｂと受信回路５ａは、小電力無線や赤外線など、ワイヤレスで検知信号を送受信できればどのような方式でも良く、特定の回路構成に限定されない。
【００３１】
（実施形態２）
本実施形態における基本構成は実施形態１と共通するために共通する部分については同一の符号を付して説明を省略し、本実施形態の特徴となる部分についてのみ詳細に説明する。
【００３２】
則ち本実施形態は、実施形態１に対して、警戒装置本体２に警報発生部６を備え、警報発生部６が音を発生するか否かを切り替える音量切替スイッチＳＷ３及び警報発生部６が発生する音色を切り替える音色切替スイッチＳＷ４とを警戒装置本体２の略表面に配した点に特徴がある。
【００３３】
図８、図９を用いてさらに詳説すると、警戒装置本体２に取り付けられた音色切替スイッチＳＷ４は、警報発生部６が発生する人を威嚇する音を"犬の鳴き声"か"アラーム音（警報音）"に切り替える。音量切替スイッチＳＷ３は、警報発生部６が発生する音の音量を"切"・"小"・"大"のうちいずれかに切り替える。警報発生部６は、音響回路６ａと、スピーカＳＰ２とからなり、マイコン２ａによって制御され、センサ部１ｂが人を検知すると、"犬の鳴き声"か"アラーム音"かを、音色切替スイッチＳＷ４で切り替えて発生させる。
【００３４】
この侵入警戒装置の動作を説明すると、検知ユニット１内に収納されたセンサ部１ｂが人を検知すると、センサ出力を警戒装置本体２内のマイコン２ａに出力する。それを受けたマイコン２ａは、実施形態１と同様に、センサ検知期間が５秒以上続けば、送信回路２ｂを介して、検知信号Ｗをワイヤレスで報知ユニットＦに送信し、報知ユニットＦから音量切替スイッチＳＷ１で選択された音量で、音色切替スイッチＳＷ２で選択された音色の音が発生される。同時に、マイコン２ａは、音量切替スイッチＳＷ３で選択された音量で、音色切替スイッチＳＷ４で選択された音色の音を、音響回路６ａを介してスピーカＳＰ２から出力させる。これにより、センサ部１ｂが人を検知すると、報知ユニットＦからの音に加えて警戒装置本体２からも人を威嚇する音が発生される。
【００３５】
よって、家人が家の中にいる時は、例えば、警戒装置本体２の音量切替スイッチＳＷ３を"切"にして、室内に置かれた報知ユニットＦの音量切替スイッチＳＷ１は"切"以外にしておけば、玄関先や出入り口に来た人には気づかれずに、家人は検知ユニット１から離れた場所で玄関先や出入り口の人の存否を確認できるという使い方もできる。
【００３６】
また、例えば、警戒装置本体２の音色切替スイッチＳＷ４を"犬の鳴き声"にして、報知ユニットＦの音色切替スイッチＳＷ２を"ピンポン音"にしておけば、玄関先に来た人へは威嚇用として用いると同時に、家の中の報知ユニットＦから突然犬の鳴き声のような威嚇音が鳴り、家人が驚くことを防止できる効果もある。
【００３７】
また、家人が外出する際には、警戒装置本体２の音量切替スイッチＳＷ３で"小"又は"大"を選択して、音色切替スイッチＳＷ４で、例えば"犬の鳴き声"を選択しておけば、報知ユニットＦをわざわざ玄関近くに持ってこなくても、不審者が玄関先にくると、犬の鳴き声の威嚇音が警戒装置本体２から出力され不審者を威嚇し、又不審者に番犬がいると錯覚させ、空き巣などを未然に防止することができる。
【００３８】
尚、本実施形態では、報知ユニットＦは、マイコン５ｂと音響回路５ｃとを有し、報知ユニットＦが発生する音は、報知ユニットＦ内で発生させていたが、報知ユニットＦの構成を前記の構成に限定する趣旨のものではなく、例えば、報知ユニットＦは、検知送信ユニットＫから検知信号としての音を受信し、その音を発生させる構成のものでも良い。
【００３９】
則ち、図１０に示すように、警戒装置本体２は、上述した実施形態の構成と比較して、センサ部１ｂが人を検知すると検知信号としての音Ｗ２をワイヤレスで発信する送信部としての送信回路２ｃと、警戒装置本体で発生させる音を発生する音響回路７ａ及びスピーカＳＰ２とからなる警報発生部７と、報知ユニットＦで発生させる音を発生する音響回路９と、音響回路９の音色を選択する報知ユニット音色切替スイッチＳＷ５とを有し、報知ユニットＦは、警戒装置本体２からの検知信号としての音Ｗ２を受信する受信回路８ａとスピーカＳＰとからなる音発生部８を有している。
【００４０】
この構成の侵入警戒装置の場合、センサ部１ｂが５秒以上人を検知すると、マイコン２ａは、音響回路７ａ及びスピーカＳＰを介して警戒装置本体２から音を発生させると共に、報知ユニット音色切替スイッチＳＷ５で選択された音色の音を音響回路７ｂで発生させ、その音を、検知信号として送信回路２ｃを介して、例えばＦＭ変調信号にのせて報知ユニットＦへ送信し、報知ユニットＦでは、検知信号としての前記音を受信回路８ａが受信して、スピーカＳＰより前記音が発生される。
【００４１】
【発明の効果】
請求項１の発明は、建物の外壁に設けた開口部に開閉自在に設置された開閉部材の屋外側に配置され開口部周辺における人の存在を検知するセンサ部と、前記センサ部が人を検知すると検知信号をワイヤレスで発信する送信部を収納し前記開閉部材の屋内側に配置される警戒装置本体と、中間部が前記開閉部材と前記開口部との隙間に配置され屋外側の一端部に前記センサ部が取り付けられかつ屋内側の一端部に前記警戒装置本体が取り付けられた形でセンサ部および警戒装置本体を開閉部材に取り付ける連結部とを備えた検知送信ユニットと、前記検知送信ユニットからの検知信号を受信すると音を発生する音発生部を備えた報知ユニットとからなるので、配線工事なしでセンサ部から離れた場所でも人の存否を確認できると共に、万が一屋外に設置されたセンサ部が破壊されたとしても音を発することができるという効果がある。
【００４２】
請求項２の発明は、請求項１記載の発明において、前記警戒装置本体は、前記センサ部が人を検知すると、人を威嚇する音を発生する警報発生部を備えているので、警戒装置本体から人を威嚇する威嚇音や警報音を発生させて、不審者を威嚇できるという効果がある。
【００４３】
請求項３の発明は、請求項２記載の発明において、前記警戒装置本体は、前記警報発生部が音を発生するか否かを切り替える切替手段を有しているので、切替手段で音を発生させるようにしておけば、前記警戒装置本体から威嚇音や警報音が発生され、不審者を威嚇でき、切替手段で警報を発生させないようにしておけば、不審者には気づかれずに、報知ユニットからの音のみで人の存否を確認できるという使い方もできるという効果がある。
【００４４】
請求項４の発明は、請求項２又は３記載の発明において、前記音発生部と前記警報発生部は、異なる音を発生するので、前記警報発生部で威嚇音を発生させていても、前記音発生部は威嚇音以外の音を発生させることで、家の中で突然威嚇音が鳴り、家人が驚くことを防止できるという効果がある。
【００４５】
請求項５の発明は、請求項１乃至４の何れか記載の発明において、前記音発生部は、前記センサ部のセンサ出力が発生するタイミング毎に連動して音を発生するので、例えば動物の鳴き声の音を出力した時に、センサ出力がランダムであれば、ランダムな間隔で動物の鳴き声が出力されることとなり、実際の動物の鳴き声に近くなり、不審者に見破られにくいという効果がある。
【００４６】
請求項６の発明は、請求項２乃至４の何れか記載の発明において、前記警報発生部は、前記センサ部のセンサ出力が発生するタイミング毎に連動して音を発生するので、請求項５の発明と同様に、例えば動物の鳴き声の音を出力した時に、センサ出力がランダムであれば、ランダムな間隔で動物の鳴き声が出力されることとなり、実際の動物の鳴き声に近くなり、不審者に見破られにくいという効果がある。
【００４７】
請求項７の発明は、請求項５又は６記載の発明において、前記音は、動物の鳴き声をした威嚇音であるので、動物の鳴き声で不審者を威嚇できるという効果がある。
【００４８】
請求項８の発明は、請求項７記載の発明において、前記動物の鳴き声は、犬の鳴き声であるので、不審者に番犬がいると錯覚させることができるという効果がある。
【００４９】
請求項９の発明は、請求項１乃至８の何れか記載の発明において、前記開閉部材は、扉枠内に開閉自在に取り付けられた玄関扉であるので、玄関からの不審者を検知できるという効果がある。
【００５０】
請求項１０の発明は、請求項１乃至８の何れか記載の発明において、前記開閉部材は、窓枠内に開閉自在に取り付けられた窓板であるので、窓からの不審者を検知できるという効果がある。
【図面の簡単な説明】
【図１】実施形態１の侵入警戒装置を玄関扉に取り付けた状態を上から見た上視図である。
【図２】（ａ）同上のセンサ部の検知エリアを示す正面図である。
（ｂ）同上のセンサ部の検知エリアを示す側面図である。
（ｃ）同上のセンサ部の検知エリアを示す上視図である。
【図３】同上の検知送信ユニットを玄関扉に取り付けた状態を示す斜視図である。
【図４】同上の構成を示すブロック図である。
【図５】同上の動作フローを説明するフローチャートである。
【図６】同上の警報音発生のタイミングを説明する説明図である。
【図７】（ａ）同上を窓板に取り付けた状態を示す正面図である。
（ｂ）同上を窓板に取り付けた状態を示す斜視図である。
【図８】実施形態２の検知送信ユニットを玄関扉に取り付けた状態を示す斜視図である。
【図９】同上の構成を示すブロック図である。
【図１０】同上の別の構成を示すブロック図である。
【図１１】従来例の外観を示す図である。
【符号の説明】
１  検知ユニット
２  警戒装置本体
３  連結部
Ｄ  玄関扉
Ｆ  報知ユニット
Ｋ  検知送信ユニット
Ｗ  検知信号
Ｘ  玄関扉の屋外側
Ｙ  玄関扉の屋内側
【図１】
0003664141.tif 000002
【図２】
0003664141.tif 000003
【図３】
0003664141.tif 000004
【図４】
0003664141.tif 000005
【図５】
0003664141.tif 000006
【図６】
0003664141.tif 000007
【図７】
0003664141.tif 000008
【図８】
0003664141.tif 000009
【図９】
0003664141.tif 000010
【図１０】
0003664141.tif 000011
【図１１】
0003664141.tif 000012